(57)【要約】【課題】本発明は、無施錠の防止が可能であるとともに、破壊による解錠を防止するハンドルロックを提供する。【解決手段】ハンドルロックは、ハンドルケースと、該ハンドルケース内に前後方向への摺動が可能に収納される筒体部と、該筒体部前方に設けられた把持部とを有し、前記ハンドルケースから外方向に突出するようにバネ付勢されたハンドルと、前記筒体部に装着されたシリンダー錠と、前記シリンダー錠の内筒の回転に伴って回動するカム部と、前記ハンドルと前記ハンドルケースとを係止するとともに、前記内筒の第１の方向への回転に伴い回動する前記カム部によって移動されて前記係止を解除する閂とを有し、前記閂に、前記ハンドルと前記ハンドルケースとの係止解除状態において前記内筒が第２の方向への回転を開始した場合に、前記カム部と当接して該カム部の前記第２の方向への回動を規制する規制部が設けられる。【選択図】  図４
2015014135.tif 000002
【特許請求の範囲】
【請求項１】
ハンドルケースと、
該ハンドルケース内に前後方向への摺動が可能に収納される筒体部と、該筒体部前方に設けられた把持部とを有し、前記ハンドルケースから外方向に突出するように付勢されたハンドルと、
前記筒体部に装着されたシリンダー錠と、
前記シリンダー錠の内筒の回転に伴って回動するカム部と、
前記ハンドルと前記ハンドルケースとを係止するとともに、前記内筒の第１の方向への回転に伴い回動する前記カム部によって移動されて前記係止を解除する閂と、
を有するハンドルロックであって、
前記閂は規制部を有し、
該規制部は、前記ハンドルと前記ハンドルケースとの係止解除状態において前記内筒が第２の方向への回転を開始した場合に、前記カム部と当接して該カム部の前記第２の方向への回動を規制する、
ことを特徴とするハンドルロック。
【請求項２】
前記ハンドルと前記ハンドルケースとの係止状態では、前記規制部が退避し、前記カム部の前記第２の方向への回動を許容する、
ことを特徴とする請求項１に記載のハンドルロック。
【請求項３】
前記カム部は、前記シリンダー錠の鍵の抜脱が可能となる位置まで前記内筒が回転する以前に前記規制部と当接する当接部を有する、
ことを特徴とする請求項１または請求項２に記載のハンドルロック。
【請求項４】
前記閂と前記カム部は前記シリンダー錠の回転軸方向において隣接して配置され、前記閂は前記カム部と対向する面に溝部が設けられ、前記規制部は前記溝部の一の側壁である、
ことを特徴とする請求項１から請求項３のいずれかに記載のハンドルロック。
【請求項５】
前記内筒の前記第１の方向への回転に伴って回動する前記カム部は、前記溝部の他の側壁に当接して前記閂を移動させる、
ことを特徴とする請求項４に記載のハンドルロック。
【請求項６】
前記ハンドルケースは、側面下方に切欠きが設けられる、
ことを特徴とする請求項１から請求項５のいずれかに記載のハンドルロック。
【発明の詳細な説明】
【技術分野】
【０００１】
本発明は、例えば自動販売機の扉に使用されるハンドルロックに係り、ハンドルロックの無施錠を防止するとともに、破壊による解錠を防ぐことが可能なハンドルロックに関する。
【背景技術】
【０００２】
自動販売機の扉などを施解錠する装置として、例えばハンドルロックが知られている。
【０００３】
図６は、従来のハンドルロック１００を示す図であり、図６（ａ）は施錠状態のハンドルロック１００の外観側面図であり、図６（ｂ）は解錠状態のハンドルロック１００の外観側面図であり、図６（ｃ）は、ハンドル１０２の一部を抜き出して示す側面図である。
【０００４】
図６（ａ）（ｂ）に示すように、ハンドルロック１００は、自動販売機等の扉にボルトなどで固定されており、筒体部１０４と、筒体部１０４の前方端部に設けられた把持部１０６とでなる開閉操作用のハンドル１０２と、筒体部１０４を前後方向に摺動自在に収納する内ケース１０５が設けられてハンドル１０２を回転自在に遊嵌して支持するハンドルケース１０３とからなる。
【０００５】
図６（ｃ）に示すように、筒体部１０４にはハンドルケース１０３（内ケース１０５）とハンドル１０２（筒体部１０４）とを係止する閂１１５が設けられている。また、筒体部１０４には閂１１５を操作するカム部１１０を備えたシリンダー錠１０８が収納される。シリンダー錠１０８の鍵穴にキーを差し込んで所定方向に回転させると、カム部１１０が回動し、閂１１５をここでは矢印の方向に移動させる。これにより閂１１５の先端が筒体部１０４に没入され、ハンドルケース１０３（内ケース１０５）とハンドル１０２（筒体部１０４）の係止状態が解除される。ハンドル１０２は付勢部材（不図示）の付勢力によって前方に付勢されており、係止状態が解除されたハンドル１０２は前方に突出（ポップアップ）する（図６（ｂ））。この状態でハンドル１０２を回転させることで、施錠・解除用のレバーが、解除方向に回転されてロック解除され、扉を開けることができる（例えば、特許文献１参照）。
【先行技術文献】
【特許文献】
【０００６】
【特許文献１】特許第２５４５０３８号公報
【発明の概要】
【発明が解決しようとする課題】
【０００７】
ハンドルロック１００のシリンダー錠１０８は、例えば、ピンタンブラー錠である。ピンタンブラー錠は、外筒と内筒と、外筒および内筒を横断するように設けられた複数のドライバピンとタンブラーの組とが配置されている。キーを差し込んだ場合には、キーの凹凸がタンブラー先端と当接してこれを持ち上げ、内筒と外筒の境目と、ドライバーピンとタンブラー後端との境目とが一致（シェアラインが一致）するようになり、内筒が自由に回転する。また、このときタンブラー後端は外筒の内壁に当接しながら回転しており、タンブラーは移動不可となる。つまり、キーを差し込んで所定角度回転させた状態ではキーを抜くことはできず、所定位置（キーを差し込んだ位置）まで回転を戻すことで抜くことができる。
【０００８】
図７は、挿入したキーの回転に伴うハンドルロック１００の施解錠の状態の一例を説明するために要部を抜き出した図であり、ここでは、シリンダー錠１０８の後方端に設けられたカム部１１０と、閂１１５とを主に示している。図７（ａ）が施錠状態のカム部１１０と閂１１５とをシリンダー錠１０８の前方側（図６（ｃ）の左側）から見た正面図であり、図７（ｂ）（ｃ）が解錠状態のカム部１１０と閂１１５とをシリンダー錠１０８の前方側から見た正面図である。また図７（ｄ）〜図７（ｆ）はそれぞれ、図７（ａ）〜（ｃ）の各状態におけるカム部１１０と閂１１５の、図６（ｃ）に対応する断面図であり、同図（ａ）〜（ｃ）の左側の閂１１５を示している。
【０００９】
図７（ａ）（ｄ）に示すように施錠状態は、シリンダー錠１０８の鍵穴にキーは挿入されていないか、挿入されていてもシリンダー錠の内筒が回転していない状態であり、閂１１５は、内ケース１０５（およびここでは不図示のハンドルケース）と筒体部１０４のそれぞれの係止孔ｈ１、ｈ２とに貫通してこれらを係止した状態である。したがって、ハンドル１０２は前方に突出せず、また回転もしない。この状態でシリンダー錠１０８へのキーの挿抜は自在である。カム部１１０は、図７（ａ）の状態では横長の略平行四辺形状であり、その中央に設けられた係合孔１１０ａがシリンダー錠１０８の操作軸と係合することで、シリンダー錠１０８の内筒とともに回動する。つまり、この状態で、鍵穴にキーを挿入して回転させると、内筒が回転し、カム部１１０は例えば、図７（ａ）の矢印の方向に回転する。そしてカム部１１０の回動によって、その端部と当接する閂１１５は上方に押し上げ（押し下げ）られる（図７（ｄ））。
【００１０】
図７（ｂ）（ｅ）に示すように解錠状態は、キーがシリンダー錠１０８に挿入され回転の最大許容角度（例えば、時計回りに４５度）まで回転された状態である。シリンダー錠１０８の内筒の回転に伴いカム部１１０も例えば時計回りに９０度回転する（ここでは縦長の状態となる）と、閂１１５の先端は筒体部１０４の内側に没入する。これによりハンドル１０２とハンドルケース１０３の係止は解除され、ハンドルロック１００の解錠状態となる。つまり、ハンドル１０２は前方に突出して回転可能となる（図６（ｂ））。
【００１１】
ハンドルロック１００が解錠された場合には、ハンドル１０２を回転させて例えば手前に引くことで扉を開けることができる。そして、ハンドルロック１００を施錠する場合には、ハンドル１０２を元の位置まで戻して押し込む。閂１１５は、同図（ｆ）（ｇ）の破線の矢印で示すように、常に外周方向に向かって不図示の付勢部材で付勢されている。したがって、ハンドル１０２を押し込み、同図（ｄ）のように、内ケース１０５と筒体部１０４の係止孔ｈ１、ｈ２が一致すると、閂１１５がハンドルケース１０３（内ケース１０５）とハンドル１０２（筒体部１０４）とを再び係止し、扉が施錠される。
【００１２】
ここで、シリンダー錠１０８においては、図７（ｂ）に示す状態ではタンブラーの先端がキーの凹凸と係合し、且つ後端がシリンダー錠の外筒内壁に当接しているため（シェアラインが不一致のため）、キーを抜くことはできない。
【００１３】
しかしながら、図７（ｃ）に示すように、カム部１１０は図７（ａ）に示す元の位置まで自由に回動させる（戻す）ことができる。つまり、シリンダー錠においては、キーを鍵穴に挿入したまま、元の位置（シェアラインが一致する位置）まで回転することが可能であり、ハンドルロック１００の解錠状態（閂１１５が筒体部１０４の内側に没入している状態（同図（ｃ））であっても、キーを抜き取ることが許容されている。
【００１４】
従って例えば自動販売機に品物を補充した者が、ハンドルロック１００の施錠をしなくてもキーのみを抜き取ることが可能であり、ハンドルロック１００の施錠を忘れて（ハンドルロック１００の押し込みを忘れて）現場を離れてしまう問題があった。
【００１５】
また、従来のハンドルロック１００では、ハンドルケース１０３の下部にバールなどを差し込んで引き抜くことにより、ハンドルケース１０３を破壊しつつ内ケース１０５が引き抜かれ、ハンドルロック１００が解錠されてしまう問題があった。
【００１６】
本発明は、斯かる実情に鑑み、無施錠の防止が可能であるとともに、破壊による解錠を防止するハンドルロックを提供するものである。
【課題を解決するための手段】
【００１７】
本発明は、扉側に固定されるハンドルケースと、該ハンドルケース内に前後方向への摺動が可能に収納される筒体部と、該筒体部前方に設けられた把持部とを有し、前記ハンドルケースから外方向に突出するようにバネ付勢されたハンドルと、前記筒体部に装着されたシリンダー錠と、前記シリンダー錠の内筒の回転に伴って回動するカム部と、前記ハンドルと前記ハンドルケースとを係止するとともに、前記内筒の第１の方向への回転に伴い回動する前記カム部によって移動されて前記係止を解除する閂と、を有するハンドルロックであって、前記閂は規制部を有し、該規制部は、前記ハンドルと前記ハンドルケースとの係止解除状態において前記内筒が第２の方向への回転を開始した場合に、前記カム部と当接して該カム部の前記第２の方向への回動を規制する、ことを特徴とするものである。
【発明の効果】
【００１８】
本発明のハンドルロックによれば、無施錠の防止が可能であるとともに、破壊による解錠を防止することができる、という優れた効果を奏し得る。
【図面の簡単な説明】
【００１９】
【図１】本発明の実施形態に係るハンドルロックの外観図であり、（ａ）が外観斜視図であり、（ｂ）が正面図であり、（ｃ）が背面図である。
【図２】本発明の実施形態に係るハンドルロックの外観側面図であり、（ａ）がハンドル収納時の側面図であり、（ｂ）がハンドル突出時の側面図である。
【図３】本発明の実施形態に係るハンドルロックの側断面図であり、（ａ）がハンドルの断面図であり、（ｂ）がシリンダー錠とシリンダーリングの側面図であり、（ｃ）が内ケースの断面図である。
【図４】本発明の実施形態に係るハンドルロックの施解錠の状態を示す図であり、（ａ）がハンドルの前方側からみたカム部と閂の正面図であり、（ｂ）がハンドルロックの施錠状態をハンドルの前方側からみた正面図であり、（ｃ）がハンドルロックの解錠状態をハンドルの前方側からみた正面図であり、（ｄ）、（ｅ）がそれぞれ（ｂ）、（ｃ）の状態の閂とカム部の断面図である。
【図５】本発明の実施形態に係るハンドルロックの施解錠の状態を示す図であり、（ａ）がハンドルロックの解錠状態をハンドルの前方側からみた正面図であり、（ｂ）がハンドルロックの施錠状態をハンドルの前方側からみた正面図であり、（ｃ）、（ｄ）がそれぞれ（ａ）、（ｂ）の状態の閂とカム部の断面図であり、（ｅ）が閂の他の形態を示す断面図である。
【図６】従来構造のハンドルロックの外観側面図であり、（ａ）がハンドル収納時の側面図であり、（ｂ）がハンドル突出時の側面図であり、（ｃ）がハンドルの断面図である。
【図７】従来構造のハンドルロックの施解錠状態を示す図であり、（ａ）がハンドルロックの施錠状態をハンドルの前方側からみた正面図であり、（ｂ）（ｃ）がハンドルロックの解錠状態をハンドルの前方側からみた正面図であり、（ｄ）〜（ｆ）がそれぞれ（ａ）〜（ｃ）の状態の閂とカム部の断面図である。
【発明を実施するための形態】
【００２０】
以下、図１から図５を参照して、本発明の実施の形態について詳細に説明する。図１は、ハンドルロック１の外観図であり、図１（ａ）が外観斜視図であり、図１（ｂ）が正面図であり、図１（ｃ）が背面図である。また図２は、ハンドルロック１の右側面図であり、図２（ａ）がハンドル２収納時の右側面図であり、図２（ｂ）がハンドル２突出時の右側面図である。尚左側面は図２の右側面図と同様である。また、図３は、ハンドル２の筒体部４に収納されるシリンダー錠８と、ハンドルケース３に収納される内ケース５を示す図であり、図３（ａ）がハンドル２とシリンダー錠８の側断面図であり、図３（ｂ）がシリンダー錠８とシリンダーリング９の側面図であり、図３（ｃ）が内ケース５の側面図である。
【００２１】
図１に示すように、ハンドルロック１は、ハンドルケース３と、ハンドル２と、シリンダー錠８とを有し、例えば自動販売機の開閉扉（以下、扉）等に取り付けられる。
【００２２】
ハンドルケース３は、ハンドルロック１の筐体であり、扉にねじなどで固定される。ハンドルケース３は、正面視においては略角丸矩形状であり、台座部３ａと、筺体部３ｂとを有する。台座部３ａは、例えば自動販売機などの機器本体にねじ等により固定される部分である。
【００２３】
ハンドルケース３の筺体部３ｂの側面下方には、切欠き３ｃが設けられている。すなわち筺体部３ｂは側面下方において、他の領域と比較して肉薄部となっている。このため、ハンドルケース３の下方にバール等を差し込んでハンドルケース３を取り外そうとした場合、外力に対する強度の弱い肉薄部のみが破壊される。これにより、ハンドルケース３全体が破壊されることを防ぐことができ、ハンドルケース３全体の取り外しまたは内ケース５の引き抜きを防止できる。つまり、ハンドルケース３の破壊によるハンドルロック１の解錠を防止できる。
【００２４】
ハンドルケース３にはシリンダー錠８が取り付けられたハンドル２が収納されている。シリンダー錠８の鍵穴８ａにキーを挿入して所定方向に回転させると、ハンドル２がハンドルケース３から前方に突出（ポップアップ）し、ハンドル２の回転によってレバー１１を操作する。
【００２５】
レバー１１はハンドルケース３後端に設けられ（図１（ｃ）参照）、例えば自動販売機等の本体と係止可能である。レバー１１と本体との係止でハンドルロック１が施錠され、レバー１１と本体との係止解除でハンドルロック１が解錠される。
【００２６】
図２（ａ）に示すように、ハンドルケース３の筐体部３ｂには筒状体の内ケース５（破線で示す）が内装されている。内ケース５は、ハンドルケース３との係止及び係止解除が可能であり、ハンドルケース３との係止が解除された状態ではハンドルケース３に対して回転自在となる。
【００２７】
図２（ｂ）に示すように、ハンドル２は、側面視において略Ｔ字形状を呈するように筒体部４とその前方に設けられた把持部６とからなり、扉の開閉操作および扉の施解錠操作を行う。
【００２８】
筒体部４は、内ケース５に内包される筒状体であり、内ケース５およびハンドルケース３との係止及び係止解除が可能である。筒体部４は、内ケース５との係止が解除された状態では内ケース５（ハンドルケース３）に対して前後方向に摺動自在となる。把持部６は、筒体部４の前方端部に、例えば筒体部４と一体的に設けられる。
【００２９】
弾性部材７は、内ケース５の後端部と筒体部４の後端部との間に介装され筒体部４を前方に押出すように付勢する。弾性部材は例えば、コイルバネである。
【００３０】
図３（ａ）（ｂ）に示すように、ハンドル２の筒体部４にはシリンダー錠８とシリンダーリング９が装着される。シリンダーリング９はその中央部に係合孔（ここでは不図示）を有しており、シリンダー錠８の後方の操作軸８ｂをシリンダーリング９の係合孔に挿通してシリンダー錠８をシリンダーリングにねじ込み、その後丸ナットＮでねじ込むことでハンドル２に組み込まれる。
【００３１】
シリンダーリング９の後端部にはカム部１０が設けられる。またハンドル２にはカム部１０と隣接して閂１５（破線で示す）が設けられる。閂１５は、筒体部４およびハンドル２と、内ケース５およびハンドルケース３とを係止し、また係止を解除する。更に、筒体部４には、ガイド部（不図示）が設けられ、内ケース５にはガイド部が摺動可能な長孔５ｂが設けられる（図３（ｃ）参照）。
【００３２】
シリンダー錠８は、ここでは一例としてシリンダーの回転をピン形状のドライバピン及びタンブラーで制御するピンタンブラー錠である。
【００３３】
ピンタンブラー錠は、既知のものと同様であるので図示および詳細な説明は省略するが、外筒と内筒で構成され、内部には２つの筒を横断する複数のドライバピンとタンブラーの組が設置されており、シリンダーの回転をドライバピン及びタンブラーで制御する。シリンダー錠８の鍵穴８ａにキーを差し込んでいない時にはドライバピンがばねに押されて外筒と内筒の境目に渡って位置するために外筒に対して内筒が回らない状態となる。一方、キーを差し込んだ場合には、キーの凹凸の山がタンブラーを持ち上げ、内筒と外筒の境目がドライバピンとタンブラーの境目と一致する（シェアラインが一致する）ため、内筒が自由に回転する。
【００３４】
つまり、詳細は後述するが、シリンダー錠８の鍵穴に正しいキーを挿入して所定方向（例えば、時計回りの方向）に回転させると、シリンダー錠８の内筒が操作軸８ｂを中心に回転する。これに伴いカム部１０が、例えば時計回りの方向に回転し、閂１５を図示の状態では上方向または下方向に移動させる。閂１５が筒体部４に没入すると、筒体部４と内ケース５との係止が解除される。筒体部４はハンドル２に固定されており、内ケース５は、ハンドルケース３に対して前後方向には移動不可であるが、シリンダー錠８の操作軸を中心として回動は可能となっている。つまり、閂１５によって筒体部４と内ケース５との係止が解除されると、ハンドル２とハンドルケース３の係止も解除される。そして、筒体部４およびハンドル２は、内ケース５およびハンドルケース３に対して前後（図では左右）方向に摺動自在となり、ハンドルケース３に対しては、内ケース５と一体となって回転自在となる。
【００３５】
＜ハンドルロックの施解錠方法＞
図４を参照して、ハンドルロック１の施解錠の状態について説明する。同図は、筒体部４（ハンドル２）と内ケース５（ハンドルケース３）の係止状態および係止解除状態を示す図であり、図４（ａ）がハンドル２の前方側（図３の左側）からみたカム部１０と閂１５の正面図であり、図４（ｂ）が施錠状態のカム部１０と閂１５をハンドル２の前方側からみた正面図であり、図４（ｃ）が解錠状態のカム部１０と閂１５をハンドル２の前方側からみた正面図であり、図４（ｄ）、（ｅ）がそれぞれ同図（ｂ）、（ｃ）の状態の閂１５とカム部１０の、図３（ａ）（ｂ）に対応する断面図である。なお、図４（ｄ）、（ｅ）の閂１５は、同図（ｂ）（ｃ）の左側の閂１５を示している。
【００３６】
図４（ａ）を参照して、シリンダーリング９は、そのほぼ中心部に係合孔９ａが設けられ、係合孔９ａの周囲に羽根状の２つのカム部１０が設けられている。カム部１０はその外周形状が略五角形状を呈し、係合孔９ａの中心点に対して点対称に配置される。係合孔９ａの形状は、ここでは不図示のシリンダー錠８の操作軸８ｂの外周形状と一致しており、操作軸８ｂを係合孔９ａに挿通させて丸ナットＮにねじ込むことで（図３（ａ）（ｂ）参照）、シリンダー錠８の鍵穴８ａにキーを挿入してシリンダー錠８の内筒を回転させた場合に、当該内筒の回転に伴ってカム部１０が実線矢印の如く回動可能となっている。
【００３７】
閂１５は同図（ａ）の正面視においてＬ字形状で、カム部１０に対応して、シリンダーリング９の係合孔９ａを中心として点対称の位置に２本設けられる。２つの閂１５はトーションバネなどにより常に筒体部４の外周方向に付勢されている。例えば、図示の状態では左の閂１５が下方向に、右の閂１５が上方向に付勢されている。また閂１５は、カム部１０が回転するとこれと当接して破線矢印の如く、左の閂１５が上方向に、右の閂１５が下方向に移動可能である。
【００３８】
本実施形態のカム部１０は、回動方向の先端部分に当接部（第１当接部１０ａおよび第２当接部１０ｂ）を有している。先端部分とは、カム部１０が所定の方向へ回動する場合の先端をいう。詳細には、ハンドルロック１を解錠する場合に、シリンダー錠８の鍵穴８ａに挿入してシリンダー錠８の内筒を第１の方向へ回転させた場合、これに伴ってカム部１０が回動する方向（（同図（ａ）のＯ方向への回動）の先端部分に第１当接部１０ａが設けられる。
【００３９】
一方、シリンダー錠８の内筒を第１の方向（例えば、時計回りの方向）へ回転させた場合に、キーを抜脱するには、挿入した元の位置（シリンダー錠８のドライバーピンとタンブラーのシェアラインが一致する位置）まで逆向きの第２の方向（例えば、反時計回りの方向）にキー（内筒）を回転させる必要がある。カム部１０の第２当接部１０ｂは、キーを抜脱する方向（第２の方向）へのシリンダー錠８の内筒の回転に伴う、カム部１０の回動方向（同図（ａ）のＰ方向への回動；以下、キーの抜脱方向という）の先端部分に設けられる。そして、第１当接部１０ａと第２当接部１０ｂは図示の如くその形状が異なっている。すなわち、２つのカム部１０の全体形状を、図示の状態で横長形状とした場合、第２当接部１０ｂの方が、第１当接部１０ａよりもカム部１０の短手方向に突出した形状を有している。
【００４０】
第１当接部１０ａは、Ｌ字形状の閂１５のかぎ状部分と当接する。また第２当接部１０ｂは閂１５に設けられた規制部１５ａと当接する。規制部１５ａは例えば、閂１５の表面に形成した溝部１５１の第１の側壁である。閂１５とカム部１０はシリンダー錠８の回転軸（すなわち操作軸８ｂ）方向において隣接して配置されており、溝部１５１は、閂１５のカム部１０と対向する面に設けられている。そして規制部１５ａは、溝部１５１の長手方向の一端側（例えば、下端側）の側壁（第１の側壁）であり、カム部１０がキーの抜脱方向に回動した場合に第２当接部１０ｂと当接することで、それ以降のキーの抜脱方向へのカム部１０の回動を規制するものである（これについては後述する）。
【００４１】
図４（ｂ）を参照して、筒体部４と内ケース５には、それぞれ貫通孔４ａ、５ａが設けられている。ハンドルロック１が施錠された状態にて、貫通孔４ａ、５ａにはいずれも、閂１５が貫通する。これにより、筒体部４と内ケース５とが係合され、これによりハンドル２とハンドルケース３が係合される。
【００４２】
また、ハンドルケース３には内ケース５の貫通孔５ａに対応する位置に係合部（不図示）が設けられている。施錠状体においては、内ケース５の貫通孔５ａを貫通した閂１５の先端が、ハンドルケース３の係合部とも係合しており、これにより内ケース５がハンドルケース３に対して回転できないようにされている。つまりこの状態は、シリンダー錠８の鍵穴にキーが挿入されていないか、挿入されていても解錠方向に回転していない状態であり、キーの鍵穴への挿抜は自由である。またハンドル２は前方に突出（ポップアップ）しておらず、ハンドル２の回転も不可の状態である。
【００４３】
この状態から、シリンダー錠８に正常なキーを差し込んで所定方向（例えば、時計回り）に回転させると、シリンダー錠８の内筒の回転に伴い、図４（ｂ）（ｄ）に示すようにカム部１０が例えば、時計回り方向（第１の方向）に所定角度回動して、第１当接部１０ａが閂１５のかぎ状部分（同図（ｄ）では溝部１５１の上端側の第２の側壁１５ｂ）をトーションバネ（不図示）の付勢力（同図（ｄ）の破線矢印の方向の力）に抗って上方向（または下方向）に押し出す。
【００４４】
図４（ｃ）（ｅ）は、閂１５が移動され、その先端が筒体部４の内側に没入した状態を示している。閂１５がハンドルケース３の係合部および筒体部４ａの貫通孔４ａから抜けると、ハンドルケース３、筒体部４（ハンドル２）および内ケース５の係止状態が解除される。これにより、内ケース５がハンドルケース３に対して回転可能になる。
【００４５】
内ケース５は内周面に前後方向に沿って設けられた長孔５ｂを有し（図３（ｃ）参照）、筒体部４は、長孔５ｂに係合する例えば突起状のガイド部（不図示）を有しているため、閂１５がこれらの係止を解除すると、筒体部４はガイド部が長孔５ｂに係合したままこれにガイドされ、内ケース５に対して前後方向に摺動自在となり、筒体部４はコイルバネ７によって、前方に押されてハンドルケース３（内ケース５）から突出する。
【００４６】
一方、内ケース５の長孔５ｂと筒体部４のガイド部が係合しているため、筒体部４は、周方向の回転についてはハンドルケース３に対して内ケース５と一体的に回転可能となる。筒体部４に没入した閂１５は、トーションバネの付勢力で外周方向（破線矢印の方向）に付勢されているが、筒体部４が内ケース５から突出することで内ケース５の貫通孔５ａの外側には、筒体部４の内壁が存在することとなり、閂１５は外側に突出できず、筒体部４に収納された状態が維持される。
【００４７】
つまりこの状態は、シリンダー錠８に挿入されたキーが回転（最大の回転位置まで回転）された状態であり、ハンドル２はハンドルケース３からポップアップし、且つ回転可能となっている状態である。またこの状態では、シリンダー錠８のタンブラーは先端がキーの凹凸と係合し且つ後端がシリンダー錠の外筒内壁に当接している（ドライバーピンとタンブラーのシェアラインが不一致である）ため、キーを抜くことはできない。
【００４８】
そして、ポップアップしたハンドル２を所定方向に回転させると、筒体部４と、これに係合された内ケース５とが回転し、内ケース５の後端に取り付けられているレバー１１が回転して扉が解錠される。
【００４９】
ハンドルロック１の施錠時には扉を閉めて、ハンドル２を逆方向に回転させて元に戻し、コイルバネ７の付勢力に抗して後方に押し込む。これにより、筒体部４は内ケース５の内側に押し込まれ、筒体部４の貫通孔４ａと内ケース５の貫通孔５ａおよび、ハンドルケース３の係合部の位置が閂１５の位置で重畳すると、トーションバネの付勢力によって自動的に閂１５が外側（上方向、または下方向）に突出し、貫通孔４ａ、５ａを貫通するとともに、ハンドルケース３の係合部と係合し、ハンドルロック１が施錠できる（同図（ｂ）（ｄ））。このように、扉を閉めて外方向に突出しているハンドル２をハンドルケース３に押し込むだけで、自動施錠させることができる。
【００５０】
しかしこのとき、扉を閉めてハンドル２の位置を元の位置まで回転させた場合であっても、ハンドル２をハンドルケース３に押し込み忘れると施錠ができず、扉が開放可能となってしまう。
【００５１】
特に、図７に示したように従来のハンドルロック１００では、ハンドルロック１００の解錠状態（閂１１５が筒体部１１４に没入した状態）でキーを元の位置まで回転させる（戻す）ことが可能であり（図７（ｃ）参照）、キーのみを抜き取ることが可能であった。つまり、例えば自動販売機に品物を補充した者が、ハンドルロック１００の施錠を忘れて（ハンドルロックの押し込みを忘れて）もキーのみを抜き取ることが可能であり、そのまま現場を離れてしまう問題があった。
【００５２】
そこで、本実施形態では、ハンドルケース３の押し込み忘れによる扉の施錠忘れを防止するために、ハンドルロック１の解錠状態では、シリンダー錠８に挿入されたキーを抜き取り不可としている。以下、これについて説明する。
【００５３】
図５は、図４と同様に、筒体部４と内ケース５の係止状態および係止解除状態を示す図であり、図５（ａ）（ｃ）は、図４（ｃ）（ｅ）に示す解錠状態以降の解錠状態を示す図であり、図５（ｂ）（ｄ）が施錠状態を示す図である。図５（ａ）が解錠状態のカム部１０と閂１５をハンドル２の前方側からみた正面図であり、図５（ｂ）が施錠状態のカム部１０と閂１５をハンドル２の前方側からみた正面図であり、図５（ｃ）、（ｄ）がそれぞれ同図（ａ）、（ｂ）の状態の閂１５とカム部１０の、図３（ａ）（ｂ）に対応する断面図である。なお、図５（ｃ）、（ｄ）の閂１５は、同図（ａ）（ｂ）の左側の閂１５を示している。また図５（ｅ）は閂１５の他の形態を示す図である。
【００５４】
図５（ａ）に示すようにハンドルロック１の解錠状態において、シリンダー錠８に挿入されたキーを抜脱可能な位置まで回転する（戻す）と、それに伴いカム部１０もキーの抜脱方向（同図（ａ）の矢印の方向）に回動を開始する。しかし本実施形態では、ハンドルロック１の解錠状態においては、カム部１０がキーの抜脱が可能な位置（図４（ａ）の位置）まで回動する以前に、カム部１０の第２当接部１０ｂが、閂１５に設けられた規制部１５ａ（溝部１５１の一方（同図（ｃ）では下端側の側壁）と当接し、それ以上の回動が規制される。
【００５５】
また、ハンドル２がハンドルケース３から突出した状態では、筒体部４の貫通孔４ａと内ケース５の貫通孔５ａの位置が一致していない。このため、トーションバネによって筒体部４の外周方向（破線矢印の方向）に付勢されている閂１５は、筒体部４の内周壁によって外側への突出が規制される。カム部１０は、閂１５表面の溝部１５１内を移動（回転）することはできるが、閂１５の移動が規制されているため規制部１５ａ（溝部１５１の一の側壁）に第２当接部１０ｂが当接した後は、それ以上の回転が規制される。
【００５６】
なお、第２当接部１０ｂは、第１当接部１０ａ（従来のカム部１１０の閂１１５との当接部）よりも、キーの抜脱方向への回動時の先端方向側に突出している。つまり、カム部１０が、キーの抜脱が可能となる位置まで回動する以前に、第２当接部１０ｂが規制部１５ａと当接する。これにより、カム部１０の回動と連動しているシリンダー錠８の内筒は、シェアラインが揃う位置まで回転させることができなくなり、この状態でシリンダー錠８からのキーを抜脱が不可となる。
【００５７】
ハンドルロック１を再び施錠する場合には、ハンドル２をハンドルケース３内の元の位置まで押し込む。筒体部４の貫通孔４ａと内ケース５の貫通孔５ａおよび、ハンドルケース３の係合部が、トーションバネの付勢力によって突出した閂１５によって係合されると、ハンドルロック１が施錠できる（同図（ｂ）（ｄ））。
【００５８】
また、閂１５の突出によって、２つの閂１５の規制部１５ａの位置も上方向または下方向（図では下方向）に移動（退避）するため、規制部１５ａによって移動が規制されていたカム部１０もキーの抜脱方向に更に回動することが可能となる。そして、カム部１０が図５（ｂ）（図４（ａ））に示す元の位置になるまでキーを回転させる（戻す）ことで、シリンダー錠８のシェアラインが揃い、キーをシリンダー錠８から抜くことができる。
【００５９】
このように本実施形態では、解錠状態において筒体部４に没入した状態の閂１５の規制部１５ａによって、カム部１０のキーの抜脱方向への回動が規制される。これにより、シリンダー錠８の内筒は、シェアラインが揃う位置まで回転不可となるため、キー孔からキーを抜くことができない、そして、ハンドル２を押し込み、ハンドルロック１を施錠することにより、カム部１０が元の位置まで回動可能となるため、シリンダー錠８もシェアラインが揃う位置まで内筒を回転させることができ、キーを抜くことができる。
【００６０】
このような構成により、例えば自動販売機に品物を補充した者は、キーが抜けていない場合には、ハンドルロックが施錠されていないことを認識でき、ハンドルロック１の施錠忘れを防止できる。
【００６１】
なお、図５（ｅ）に示すように、閂１５の規制部１５ａは、閂１５の主面から突出する突起部であってもよい。
【００６２】
以上、本実施形態では、シリンダー錠８がピンタンブラー錠の場合を例に説明したが、これに限らず、例えば、ディスクタンブラー錠やレバータンブラー錠などであってもよい。
【００６３】
尚、本発明のハンドルロック１は、上記した実施の形態に限定されるものではなく、本発明の要旨を逸脱しない範囲内において種々変更を加え得ることは勿論である。
【符号の説明】
【００６４】
１    ハンドルロック
２    ハンドル
３    ハンドルケース
４    筒体部
５    内ケース
８    シリンダー錠
９    シリンダーリング
１０  レバー
１５  閂
【図１】
2015014135.tif 000003
【図２】
2015014135.tif 000004
【図３】
2015014135.tif 000005
【図４】
2015014135.tif 000006
【図５】
2015014135.tif 000007
【図６】
2015014135.tif 000008
【図７】
2015014135.tif 000009